(57)【要約】【課題】  記録媒体から読み出された映像および音声の再生効果を制御する。【解決手段】  信号処理装置１は、画像信号を記憶した後に出力する第１のバッファメモリ１８と、オーディオ信号を記憶した後に出力する第２のバッファメモリ１９と、再生制御部２８とを備える。再生制御部２８は、与えられた指令に応じて、第１および第２のバッファメモリ１８，１９から前記画像信号および前記オーディオ信号を出力させるタイミングを各々独立に制御して前記画像信号および前記オーディオ信号のうち少なくとも一方の再生進行速度を可変調整する。【選択図】  図１
2005108294.tif 000002
【特許請求の範囲】
【請求項１】
画像信号と前記画像信号に関連するオーディオ信号とを処理する信号処理装置であって、
前記画像信号を記憶した後に出力する第１のバッファメモリと、
前記オーディオ信号を記憶した後に出力する第２のバッファメモリと、
与えられた指令に応じて、前記第１および第２のバッファメモリから前記画像信号および前記オーディオ信号を出力させるタイミングを各々独立に制御して前記画像信号および前記オーディオ信号のうち少なくとも一方の再生進行速度を可変調整する再生制御部と、
を備えることを特徴とする信号処理装置。
【請求項２】
請求項１記載の信号処理装置であって、前記再生制御部は、前記指令に応じて、前記画像信号の再生進行速度と前記オーディオ信号の再生進行速度との一方を他方から偏倚させることを特徴とする信号処理装置。
【請求項３】
請求項１または請求項２記載の信号処理装置であって、前記再生制御部は、前記指令を受けた後に新たな指令が与えられない期間は、前記画像信号と前記オーディオ信号との間に生じた前記再生進行速度の偏倚を維持せしめることを特徴とする信号処理装置。
【請求項４】
請求項１または請求項２記載の信号処理装置であって、前記再生制御部は、前記指令を受けた後に新たな指令が与えられない期間は、前記画像信号の再生進行速度と前記オーディオ信号の再生進行速度との一方を他方に一致させることを特徴とする信号処理装置。
【請求項５】
請求項１から請求項４のうちのいずれか１項に記載の信号処理装置であって、外部操作に応じて前記指令を生成する操作部をさらに備えることを特徴とする信号処理装置。
【請求項６】
請求項５記載の信号処理装置であって、
前記操作部は回動自在な操作盤を備えており、
前記再生制御部は、前記操作盤の回転量と回転方向とで与えられる指令に応じて、前記画像信号の再生進行速度と前記オーディオ信号の再生進行速度との一方を他方から偏倚せしめることを特徴とする画像処理表示装置。
【請求項７】
請求項６記載の信号処理装置であって、前記再生制御部は、前記操作盤の回転方向に応じて順方向および逆方向のいずれか一方の再生方向で前記画像信号を前記バッファメモリをして出力せしめることを特徴とする信号処理装置。
【請求項８】
請求項１から請求項７のうちのいずれか１項に記載の信号処理装置であって、
情報記録媒体を着脱自在に装填する装填機構と、
前記情報記録媒体から再生信号を読み出す記録媒体駆動部と、
前記再生信号を復号化して前記画像信号および前記オーディオ信号を生成する信号処理部と、
をさらに備えることを特徴とする信号処理装置。
【発明の詳細な説明】
【技術分野】
【０００１】
本発明は、ＣＤ（Compact Disc），ＤＶＤ（Digital Versatile Disc），ＭＤ（Mini Disc）などの情報記録媒体から読み出した信号を処理する信号処理装置などに関する。
【背景技術】
【０００２】
ＣＤなどの情報記録媒体から読み出されたオーディオデータの再生音のテンポ（ＢＰＭ：Beat Per Minute）を変えることなどによって音響効果をリアルタイムに制御し得るデジタル再生装置が知られている。このデジタル再生装置では、ユーザーは、再生音のテンポの加速あるいは減速、再生の一時停止および逆方向再生などをダイアルやボタンなどを操作することでリアルタイムに行い、ユーザー独自の音響効果を即興で演出することが可能である。従来は、アナログレコードプレーヤにおいて、アナログレコードの再生中に、ユーザーがアナログレコードを載置しているターンテーブルを正規の回転速度とは異なる速度で強制的に回転させ、これにより、アナログレコードの記録溝を移動するレコード針の移動速度を変化させて、再生音のテンポを変える創出が行われていた。前出のデジタル再生装置は、従来、アナログレコードプレーヤを用いて行っていたこの種の演出を、デジタル情報を記録するＣＤやＤＶＤなどでも可能にする装置である。
【０００３】
この種のデジタル再生装置に関する従来技術は、たとえば、特許文献１（特開２００３−１３２６３４号公報）に開示されている。近年、映画などの映像情報を記録した光ディスクが広く流通しているが、光ディスクから再生した映像の映像効果を、前述のデジタル再生装置の如くリアルタイムに制御する装置は提供されていない。
【特許文献１】特開２００３−１３２６３４号公報
【発明の開示】
【発明が解決しようとする課題】
【０００４】
以上の状況などに鑑みて本発明の目的は、記録媒体から読み出された映像および音声の再生効果を制御し得る信号処理装置を提供することである。
【課題を解決するための手段】
【０００５】
上記目的を達成すべく、請求項１記載の発明は、画像信号と前記画像信号に関連するオーディオ信号とを処理する信号処理装置であって、前記画像信号を記憶した後に出力する第１のバッファメモリと、前記オーディオ信号を記憶した後に出力する第２のバッファメモリと、与えられた指令に応じて、前記第１および第２のバッファメモリから前記画像信号および前記オーディオ信号を出力させるタイミングを各々独立に制御して前記画像信号および前記オーディオ信号のうち少なくとも一方の再生進行速度を可変調整する再生制御部と、を備えることを特徴としている。
【発明を実施するための最良の形態】
【０００６】
以下、本発明の実施の形態に係る実施例について説明する。
【０００７】
＜光ディスク再生装置１の構成＞
図１は、本実施例の光ディスク再生装置（信号処理装置）１の構成を概略的に示すブロック図であり、図２は、この光ディスク再生装置１の外観を概略的に示す平面図であり、図３は、図２に示す光ディスク再生装置１の側面図である。図１に示されるように、この光ディスク再生装置１は、ディスク駆動部２、信号処理部３、制御部２２、操作部２３、表示部２４、オーディオ出力部２０および映像出力部２１を備えている。これらの処理部２，３，２０，２１，２３および２４は、制御信号やデータ信号を伝達するバス（図示せず）を介して制御部２２と接続されている。
【０００８】
前記制御部２２は、ＣＰＵ（中央演算処理装置；Central Processing Unit）、各種制御プログラムを記録したＲＯＭ（Read Only Memory）、ＲＡＭ（Random Access Memory）および入出力インターフェースを内蔵している。この制御部２２は、ＣＰＵで実行される制御プログラムとして、後述する再生制御部２８を備えている。なお、本実施例では、再生制御部２８はコンピュータプログラムで構成されるが、この代わりにハードウェアで構成されてもよい。
【０００９】
前記操作部２３は、この光ディスク再生装置１を使用するユーザーによる外部操作に応じた指令を制御部２２に供給する。制御部２２は、操作部２３から受けた指令に従って様々な制御信号を生成し、処理部２，３，４，２０および２１に与える。図２は、操作部２３のフロントパネルを示す平面図である。後述する様々な入力ボタン４２Ａ，４２Ｂ，４３Ａ，４３Ｂ，…と、中心軸５５ｃの周りに回動自在なジョグダイアル（操作盤）５５とがこのフロントパネルに設けられている。
【００１０】
前記ディスク駆動部２は、ＣＤやＤＶＤなどの光ディスク１０を着脱自在に装填するローディング機構（装填機構）２５に加えて、スピンドルモータ１１、光学ヘッド１３、ＲＦアンプ１４、ドライバ１２およびサーボ回路１５を備えている。光ディスク１０には、互いに関連する画像信号とオーディオ信号とを多重化した信号が、ＭＰＥＧ（Moving Picture Experts Group）方式などに従って圧縮符号化され、さらに光ディスク１０の物理フォーマットに従って符号化されて記録されている。スピンドルモータ１１は、前記光ディスク１０から情報を読み出す時に、ドライバ１２から駆動電力の供給を受けて光ディスク１０を回転駆動させる。ドライバ１２はサーボ回路１５によって制御されている。光学ヘッド１３は、情報を読み出す際に、光ディスク１０の記録層に光ビームを照射しこの記録層の表面で反射した戻り光を検出し、その結果得た検出信号をＲＦアンプ１４に供給する。ＲＦアンプ１４は、光学ヘッド１３から入力する検出信号を増幅するなどしてサーボ回路１５に供給し、サーボ回路１５は、ＲＦアンプ１４から供給される検出信号から再生信号（ＲＦ信号；高周波信号）を生成してこれを信号処理部３に出力する。またサーボ回路１５は、ＲＦアンプ１４から入力する信号からトラッキングエラー信号やフォーカスエラー信号などを生成しこれらを光学ヘッド１３に供給するというサーボ処理を実行する。
【００１１】
前記信号処理部３は、デコード部１６、メモリ１７およびバッファメモリ２７を備えている。デコード部１６は、ディスク駆動部２から伝達したアナログ信号をデジタル信号にＡ／Ｄ変換し、その後、ＲＡＭなどのメモリ１７を用いてデジタル信号を復号化し画像データとオーディオデータとに分離してバッファメモリ２７に出力する。バッファメモリ２７は、オーディオデータを一時的に記憶するオーディオメモリ（第１のバッファメモリ）１８と、画像データを一時的に記憶するビデオメモリ（第２のバッファメモリ）１９からなり、たとえば、画像データ記憶用の２ポートメモリとオーディオデータ記憶用の２ポートメモリとで構成されればよい。オーディオメモリ１８およびビデオメモリ１９は、それぞれ、制御部２２から供給される入出力制御信号ＣＴＡおよびＣＴＶに応じて所定のタイミングで入力データをラッチし、且つアドレス指定された記憶データを読み出して出力する。バッファメモリ２７は、オーディオ信号ＡＤをオーディオ出力部２０に出力するとともに画像信号ＩＤを映像出力部２１に出力する。
【００１２】
前記オーディオ出力部２０は、バッファメモリ２７から伝達したオーディオ信号ＡＤにフィルタリング処理や変調処理を施すなどしてこれを外部のオーディオ再生装置（図示せず）に転送する。オーディオ出力部２０は、フレーム間補間処理や間引き処理を実行する補間回路２０ａを備えている。前記映像出力部２１は、バッファメモリ２７から伝達した画像信号ＩＤに階調処理，フィルタリング処理、ノイズ除去処理および変調処理を施すなどして映像信号を生成しこれを外部の表示装置（図示せず）に転送する。この映像出力部２１は、フレーム間補間処理や間引き処理を実行する補間回路２１ａを備える。なお、オーディオ出力部２０および映像出力部２１の動作は制御部２２によって独立に制御される。
【００１３】
図２を参照すると、ユーザーが光ディスク再生装置１の電源スイッチ５６を押下すると、制御部２２は、電源スイッチ５６の押下を検出し、その後、内蔵するＲＯＭ（図示せず）から初期プログラムを読み込み実行して、光ディスク再生装置１のシステムを起動する。ユーザーが、図２および図３に示されるディスク挿入口６１から光ディスク１０を挿入すると、ローディング機構２５は、挿入された光ディスク１０を内部に案内し所定位置に装填する。なお、エジェクトボタン（図示せず）を押下することで装填されている光ディスク１０を光ディスク再生装置１から排出することができる。
【００１４】
以上の構成を有する光ディスク再生装置１の動作を以下に詳説する。
【００１５】
＜基本動作＞
ローディング機構２５が光ディスク１０を装填した状態で、ユーザーが再生ボタン４５を押下すると、制御部２２はその再生ボタン４５の押下を検知し、光ディスク１０から記録データを読み出させ、映像および音声の再生を開始させる。このとき、再生制御部２８（図１）は、制御信号ＣＴＢ，ＣＴＡをビデオメモリ１９とオーディオメモリ１８とに与え、ビデオメモリ１９とオーディオメモリ１８を独立に制御する。再生制御部２８は、ビデオメモリ１９とオーディオメモリ１８から、それぞれ画像信号ＩＤとオーディオ信号ＡＤを出力させる。そして、映像出力部２１およびオーディオ出力部２０はそれぞれ映像信号およびオーディオ信号とを送出する。
【００１６】
図４は、映像出力部２１から出力され表示される出力映像をフレーム単位で模式的に示すとともに、オーディオ出力部２０から出力されるオーディオ信号を模式的に示す図である。出力映像を構成する画像フレームＦ１，Ｆ２，Ｆ３，…，ＦＮ，…が時間軸に沿って表示されるとともに、オーディオ信号を構成するオーディオデータＤ１，Ｄ２，Ｄ３，…，ＤＮ，…が時間軸に沿って表示されており、出力映像とオーディオ信号とは時間的に同期している。出力映像とオーディオ信号とが同期していることを示すために、オーディオデータＤ１，Ｄ２，Ｄ３，…，ＤＮ，…は、それぞれ、画像フレームＦ１，Ｆ２，Ｆ３，…，ＦＮ，…と時間軸上の位置が一致するように表示されている。なお、本実施例では、説明の便宜上、出力映像をフレーム単位で順次表示（プログレッシブ表示）しているが、この代わりに、偶数番目ラインからなる偶数フィールドと奇数番目ラインからなる奇数フィールドとを交互に表示（インターレース表示）してもよい。
【００１７】
かかる同期再生動作中にユーザーが再生ボタン４５を押下すると、制御部２２はその再生ボタン４５の押下を検知してシステムを一時停止状態に移行させる。すなわち、再生制御部２８は、光ディスク１０の駆動を一時停止させるとともに、再生ボタン４５を押下した時点の画像フレームをバッファメモリ２７から繰り返し出力させて再生映像を固定する。この結果、表示装置は同一の画像フレームを表示し続ける。この一時停止状態においてユーザーが再び再生ボタン４５を押下すると、制御部２２はその押下を検知してシステムを同期再生動作に戻す。ユーザーがエジェクトボタン（図示せず）を押下すると、制御部２２は同期再生動作を終了させ、ローディング機構２５に光ディスク１０を排出させる。
【００１８】
また、ユーザーがスライダ（速度調整つまみ）５３を上方または下方にスライドさせることで、再生制御部２８はスライダ５３の位置を検知し、当該位置に応じて映像および音声の再生進行速度を変化させる。スライダ５３の位置が下方になるほどに再生進行速度は速くなり、その位置が上方になるほどに再生進行速度は遅くなる。なお、本明細書において再生進行速度（以下、単に「再生速度」と呼ぶ。）とは、映像情報およびオーディオ情報の時間変化率を意味する。たとえば、光ディスク１０に記録されている映像情報が時報を発する時計を撮像したものとしたとき、再生進行速度を２倍にすれば、映像中の時計が表示する時刻の進行速度も２倍になり、時報の時間間隔は１／２になる。
【００１９】
ユーザーがサーチボタン４２Ｂまたは４２Ａを押下すると、再生制御部２８は、その押下を検知して映像とオーディオの再生位置を順方向または逆方向へファイル単位でスキップさせる。右側のサーチボタン４２Ｂが１度押下されると、再生位置は順方向に次のファイルの先頭位置へスキップされ、左側のサーチボタン４２Ａが１度押下されると、再生位置は逆方向に現在または前のファイルの先頭位置へスキップされる。また、早送りボタン４３Ｂまたは早戻しボタン４３Ａをユーザーが押下することで、再生制御部２８はその押下を検出して映像および音声を通常よりも速い速度で順方向または逆方向に再生させて、映像および音声の再生を早送りまたは早戻しさせる。
【００２０】
次に、「ブレーキ」、「スピン」および「スクラッチ」と称する再生効果について説明する。上記再生制御部２８は、オーディオメモリ１８、ビデオメモリ１９、オーディオ出力部２０および映像出力部２１を各々独立に制御することができ、バッファメモリ２７から出力される画像信号ＩＤおよびオーディオ信号ＡＤから再生される映像および音声の再生速度をリアルタイムに制御する速度制御機能を有している。「ブレーキ」，「スピン」および「スクラッチ」はこの速度制御機能によって作られる再生効果である。「ブレーキ」は、映像および音声の再生速度が急峻に低下するときに現れる効果を意味する。ユーザーが再生ボタン４５を押下すると、再生制御部２８は映像および音声の再生速度を所定の変化率で急峻に減速させ、一時停止に至らしめる。その後、ユーザーが再生ボタン４５を再び押下すると、再生制御部２８は映像および音声の再生速度を通常の速度にまで所定の変化率で急峻に上昇させる。停止調整つまみ５８Ａは、映像および音声の再生速度が減速する際の変化率を調整するための入力手段であり、開始調整つまみ５８Ｂは、再生速度が上昇する際の変化率を調整するための入力手段である。ユーザーは、停止調整つまみ５８Ａと開始調整つまみ５８Ｂを操作することで所望の変化率で再生速度を変化させ、映像効果と音響効果を創出することができる。
【００２１】
「スピン」は、映像および音声の再生速度を通常の速度とは異なる速度へ急に変化させたときに現れる効果を意味する。ユーザーがジョグダイアル５５の天板５５ｔを押下するか、或いは再生ボタン４５を押下して一時停止状態にした後にジョグダイアル５５を回転させると、再生制御部２８は、ジョグダイアル５５の回転速度と回転方向とを検出し、ユーザーがジョグダイアル５５から手を離した後でも、その回転速度と回転方向に応じた速度で映像と音声とを再生させる。ジョグダイアル５５が右周りに回転したときは、映像および音声は順方向に再生され、ジョグダイアル５５が左周りに回転したときは、映像および音声は逆方向に再生される。
【００２２】
「スクラッチ」は、映像および音声の再生速度を強制的に変化させたときに現れる効果である。ユーザーがジョグダイアル５５の天板５５ｔを押下した状態のままジョグダイアル５５を回転させると、再生制御部２８は、映像および音声の再生を一時停止させた後、ジョグダイアル５５の回転量と回転方向に応じた再生速度で映像および音声を再生させる。ジョグダイアル５５が右周りに回転するときは、映像および音声は順方向に再生され、ジョグダイアル５５が左周りに回転するときは、映像および音声は逆方向に再生される。このようにして、ユーザーは、ジョグダイアル５５を操作して再生速度をリアルタイムに変化させ、ユーザー独自の映像効果と音響効果を創出することが可能である。
【００２３】
＜非同期再生処理の第１の実施例＞
次に、図５〜図９を参照しつつ非同期再生動作について説明する。図５および図６は、第１の実施例に係る非同期再生処理の手順を概略的に示すフローチャートであり、両図のフローチャートは、連結子Ｃ１，Ｃ２を介して連結している。また、図７〜図９は、非同期再生処理で発生する出力映像およびオーディオデータの一例を模式的に示す図である。
【００２４】
図５を参照すると、先ず、ステップＳ１では、制御部２２は、操作部２３からの再生指令の有無を判定する。制御部２２は操作部２３から再生指令があるまで待機しており、ユーザーが再生ボタン４５を押下すると操作部２３は再生指令を発し、再生制御部２８はこの再生指令を検出して再生指令有りと判定し、映像および音声の再生を開始させる（ステップＳ２）。
【００２５】
次のステップＳ３では、再生制御部２８は非同期モードの有無を判定する。切換スイッチ４１が上方に切り換えられているとき、再生制御部２８は上記同期再生動作を実行させ、切換スイッチ４１が下方に切り換えられているとき、再生制御部２８はかかる状態を検知して非同期モード有りと判定し、次いで、ジョグ入力の有無、すなわちジョグダイアル５５の回転による再生指令の有無を判定する（ステップＳ４）。ジョグダイアル５５が回転していないとき、ステップＳ１１に処理が移行する。
【００２６】
他方、前記ステップＳ４において、ジョグダイアル５５が回転しているとき、再生制御部２８はかかる回転状態を検知してジョグ入力有りと判定し、ステップＳ５以後の処理を実行する。すなわち、ステップＳ５では、映像の再生速度を変えるか否かが判定される。デフォルトの動作では、再生制御部２８は、映像の再生速度を変える旨を判定してステップＳ６以後の処理を実行する。他方、選択ボタン４７（図２）が押下されているときは、再生制御部２８はその押下を検知して映像の再生速度を変えない旨、すなわち音声の再生速度を変える旨を判定してステップＳ２０以後の処理（図６）を実行する。
【００２７】
ステップＳ６では、再生制御部２８は、ジョグダイアル５５の回転方向を検知して、当該回転方向が順方向（ＦＷＤ）か否か、すなわち右周り回転および左周り回転のいずれであるかを判定する。ジョグダイアル５５が順方向（ＲＥＶ）すなわち右周り方向に回転するとき、再生制御部２８は、映像の再生速度を通常の速度よりも速くする（ステップＳ７）。具体的には、再生制御部２８は、バッファメモリ２７からオーディオ信号ＡＤおよび画像信号ＩＤを出力させるタイミングを制御しつつ、映像出力部２１の補間回路２１ａに画像フレームを間引く間引き処理を実行させて、映像の再生速度を通常の速度よりも速くすることができる。図７を参照すると、ジョグダイアル５５が順方向に回転される迄は、映像と音声は同期再生されており、画像フレームＦ１，Ｆ２，Ｆ３，…とオーディオデータＤ１，Ｄ２，Ｄ３，…とは互いに同期している。画像フレームＦ６が表示された時点でジョグダイアル５５が順方向に回される。この時点以後、画像フレームＦ８，Ｆ１０，Ｆ１２，Ｆ１４，…は、１フレームおきに表示され、出力映像は、音声に比して２倍の速度で速く再生される。
【００２８】
上記ステップＳ６において、ジョグダイアル５５の回転方向が逆方向すなわち左周り回転方向であると判定したとき、再生制御部２８はさらに当該回転速度が所定の閾値ＴＶ以上か否かを判定する（ステップＳ８）。当該回転速度が閾値ＴＶ未満であるとき、再生制御部２８は、映像の再生速度を通常の速度よりも遅くする（ステップＳ９）。具体的には、再生制御部２８は、バッファメモリ２７からオーディオ信号ＡＤおよび画像信号ＩＤを出力させるタイミングを制御しつつ、映像出力部２１の補間回路２１ａに画像フレームを補間するフレーム間補間処理を実行させて、映像の再生速度を通常の速度よりも速くすることができる。図８を参照すると、ジョグダイアル５５が逆方向に回転される迄は、映像と音声は同期再生されており、画像フレームＦ１，Ｆ２，Ｆ３，…とオーディオデータＤ１，Ｄ２，Ｄ３，…とは互いに同期している。画像フレームＦ６が表示された時点でジョグダイアル５５が逆方向に回される。この時点以後、画像フレームＦ７，Ｆ７，Ｆ８，Ｆ８，Ｆ９，Ｆ９，…が順次表示され、出力映像は、音声に比して１／２倍の速度で遅く再生される。
【００２９】
上記ステップＳ８において、ジョグダイアル５５の逆方向の回転速度が閾値ＴＶ以上であると判定したとき、再生制御部２８は、映像を逆方向に再生させる（ステップＳ１０）。具体的には、再生制御部２８は、オーディオメモリ１８に記憶されているオーディオデータを時間的に順方向にアドレス指定し、ビデオメモリ１９に記憶されている画像データを時間的に逆方向にアドレス指定することで、映像を逆方向に再生させることができる。図９を参照すると、ジョグダイアル５５が逆方向に回転される迄は、映像と音声は同期再生されており、画像フレームＦ１，Ｆ２，Ｆ３，…とオーディオデータＤ１，Ｄ２，Ｄ３，…とは互いに同期している。画像フレームＦ６が表示された時点でジョグダイアル５５は逆方向に速く回される。この時点以後、画像フレームＦ６，Ｆ６，Ｆ５，Ｆ５，Ｆ４，Ｆ４，Ｆ３，Ｆ３，Ｆ２，Ｆ２，…が表示され、出力映像は、音声に比して１／２倍の速度で逆方向に再生される。
【００３０】
上記ステップＳ７，Ｓ９，Ｓ１０の処理が終了した後は、ステップＳ１１に処理が移行する。
【００３１】
他方、上記ステップＳ５において、再生制御部２８が選択ボタン４７の押下を検知することで映像の再生速度を変えない旨を判定したとき、図６に示されるステップＳ２０以後の処理を実行する。ステップＳ２０では、再生制御部２８は、ジョグダイアル５５の回転方向を検知して、当該回転方向が順方向か否か、すなわち右回り回転および左周り回転のいずれであるかを判定する。ジョグダイアル５５が順方向すなわち右周り方向に回転するとき、再生制御部２８は、映像の通常の再生速度と比べて音声の再生速度を速くする（ステップＳ２４）。このとき、たとえば、音声の再生速度を映像の再生速度の２倍にすればよい。他方、前記ステップＳ２０において、ジョグダイアル５５の回転方向が逆方向すなわち左周り回転方向であると判定したとき、再生制御部２８はさらに、当該回転方向が所定の閾値ＴＡ以上か否かを判定する（ステップＳ２１）。当該回転速度が閾値ＴＡ未満であるとき、再生制御部２８は、映像の通常の再生速度と比べて音声の再生速度を遅くする（ステップＳ２２）。このとき、たとえば、音声の再生速度を映像の再生速度の１／２倍にすればよい。他方、前記ステップＳ２１において当該回転速度が閾値ＴＡ以上であると判定したとき、再生制御部２８は、音声の再生方向を逆方向に切り換える（ステップＳ２３）。このとき、たとえば、音声の再生速度を逆方向であって且つ通常の再生速度の１／２倍にすればよい。前記ステップＳ２４，Ｓ２２およびＳ２３の処理が終了した後は、ステップＳ１１に処理が移行する。
【００３２】
ステップＳ１１では、制御部２２が再生動作を終了するか否かを判定する。ユーザーが終了ボタン（図示せず）などを押下したとき、制御部２２は再生動作を終了する旨を判定して以上の処理を終了させる。
【００３３】
他方、ステップＳ１１において制御部２２が再生動作を終了する旨を判定しないときは、上記ステップＳ３以後の処理を繰り返し実行する。このとき、ユーザーが切換スイッチ４１を下方から上方に切り換えると、ステップＳ３において再生制御部２８は非同期モード無しと判定し、映像と音声とを同期再生させる（ステップＳ１２）。たとえば、図７，図８および図９に示されるように非同期再生されていた映像は、切換スイッチ４１が下方に切り換えられた後は、音声と同期再生させられることになる。
【００３４】
他方、ステップＳ３で非同期モード有りと判定され、次のステップＳ４でジョグ入力無しと判定されたとき、再生制御部２８は映像と音声との間に生じている再生速度の偏倚（ズレ）を維持させる。このため、操作部２３から新たな再生指示を与えること無く、一度生じた再生速度の偏倚を維持することができる。
【００３５】
なお、上記した非同期再生動作の例として、２倍速再生（図７）、１／２倍速再生（図８）および１／２倍速逆再生（図９）について説明したが、本発明ではこれに限らず、ジョグダイアル５５の回転速度に応じて任意倍率の再生速度が得られるように構成を変更することが可能である。
【００３６】
また、再生速度の変化によって生ずる画質と音質の劣化を防ぐため、或いは、画質と音質の向上のために、オーディオ出力部２０および映像出力部２１はそれぞれ補間回路２０ａおよび補間回路２１ａを備えている。補間回路２０ａ，２１ａは、制御部２２から伝達する制御信号に応じて、サンプリングした入力信号にフレーム間補間処理或いは間引き（decimation）処理を施す機能を有している。オーディオ出力部２０および映像出力部２１は、所定の出力レートを維持しつつ、音声フレームおよび画像フレームを補間するフレーム間補間処理を実行して映像および音声の再生速度を遅らせることができ、所定の出力レートを維持しつつ、音声フレームおよび画像フレームを間引く間引き処理を実行して映像および音声の再生速度を速めることができる。
【００３７】
以上の如く、上記非同期再生処理によれば、再生制御部２８は、ジョグダイアル５５の回転方向および回転速度に応じた再生指令を受けると、画像信号ＩＤの再生速度とオーディオ信号ＡＤの再生速度とを独立に調整して一方の再生速度を他方の再生速度に対して偏倚せしめることから、映像と音声とをユーザー所望の速度差で非同期再生することができる。これによりユーザー独自の再生効果を創出することが可能である。
【００３８】
＜非同期再生処理の第２の実施例＞
次に、図１０〜図１３を参照しつつ非同期再生動作について説明する。図１０は、第２の実施例に係る非同期再生処理の手順を概略的に示すフローチャートであり、図１１〜図１３は、非同期再生処理で発生する出力映像およびオーディオデータの一例を模式的に示す図である。図１０のフローチャートは、ステップＳ４とステップＳ１１との間にステップＳ３０，Ｓ３１の処理ブロックを挿入した点を除くと、図５のフローチャートと同一である。さらに、図１０のフローチャートと図６のフローチャートとは、連結子Ｃ１，Ｃ２を介して連結している。
【００３９】
図１０を参照すると、ステップＳ１〜Ｓ４では、図６に示したステップＳ１〜Ｓ４と同様の処理が実行される。ステップＳ４において再生制御部２８がジョグ入力有りと判定したとき、ステップＳ５〜Ｓ１０またはステップＳ２０〜Ｓ２４（図６）の処理が実行される。これにより、映像の再生速度が音声の再生速度に対して偏倚するか、或いは、音声の再生速度が映像の再生速度に対して偏倚する。図１１〜図１３を参照すると、ジョグダイアル５５が回転される迄は、映像と音声は同期再生されており、画像フレームＦ１，Ｆ２，Ｆ３，…とオーディオデータＤ１，Ｄ２，Ｄ３，…とは互いに同期している。画像フレームＦ６が表示された時点でジョグダイアル５５が回される。この時点以後、映像と音声とは非同期に再生される。図１１に示す例では、映像は音声に比して２倍の速度で再生され、図１２に示す例では、映像は音声に比して１／２倍の速度で再生され、図１３に示す例では、映像は音声に比して１／２倍の速度で逆方向に再生されている。
【００４０】
ステップＳ１１において、制御部２２が再生動作を終了する旨を判定しないときは、上記ステップＳ３以後の処理を繰り返し実行する。かかる場合に、ステップＳ４において再生制御部２８がジョグ入力無しと判定したとき、映像または音声が非同期再生されているか否かを判定する（ステップＳ３０）。ここで、非同期再生無しと判定したとき、再生制御部２８はステップＳ１１へ処理を移行させる。他方、前記ステップＳ３０で非同期再生有りと判定したとき、再生制御部２８は、映像または音声の再生速度を通常の再生速度へ戻す処理を実行し（ステップＳ３１）、その後、ステップＳ１１に処理を移行させる。したがって、ユーザーは、映像または音声の再生速度を通常の速度からずれた速度に維持しようとすれば、ジョグダイアル５５を常時回転させる必要がある。ジョグダイアル５５の回転が停止すると、操作部２３から制御部２２へ再生指令が与えられず、上記ステップＳ３１の処理が実行されることにより、映像または音声の再生速度は通常の速度に戻ることになる。
【００４１】
図１１を参照すると、画像フレームＦ６が表示された時点からジョグダイアル５５は順方向に回転し続け、画像フレームＦ１４が表示された時点でジョグダイアル５５の回転は停止している。これ以後は、映像の再生速度は通常の速度へ戻り、画像フレームＦ１５，Ｆ１６，Ｆ１７，Ｆ１８，…が順次表示される。また、図１２を参照すると、画像フレームＦ６が表示された時点からジョグダイアル５５は逆方向に回転し続け、画像フレームＦ８が表示された時点でジョグダイアル５５の回転は停止している。これ以後は、映像の再生速度は通常の速度へ戻り、画像フレームＦ９，Ｆ１０，Ｆ１１，Ｆ１２，…が順次表示される。さらに、図１３を参照すると、画像フレームＦ６が表示された時点からジョグダイアル５５は逆方向に速く回転し続け、画像フレームＦ４が表示された時点でジョグダイアル５５の回転は停止している。これ以後は、映像の再生速度は次第に通常の速度へ戻り、画像フレームＦ３，Ｆ４，Ｆ５，Ｆ６，Ｆ７，…が表示される。
【００４２】
本実施例の非同期再生処理によれば、再生制御部２８は、ジョグダイアル５５の回転方向および回転速度に応じた再生指令が与えられない期間は、映像または音声の偏倚した再生速度を通常の速度に戻して両者の再生速度を一致せしめるため、ユーザーは再生速度の偏倚量を容易に制御することができる。
【図面の簡単な説明】
【００４３】
【図１】本実施例の光ディスク再生装置（信号処理装置）の構成を概略的に示すブロック図である。
【図２】光ディスク再生装置の外観を概略的に示す平面図である。
【図３】図２に示す光ディスク再生装置の側面図である。
【図４】出力映像およびオーディオデータを模式的に示す図である。
【図５】第１の実施例に係る非同期再生処理の手順を概略的に示すフローチャートである。
【図６】第１の実施例に係る非同期再生処理の手順を概略的に示すフローチャートである。
【図７】非同期再生処理で発生する出力映像およびオーディオデータの一例を模式的に示す図である。
【図８】非同期再生処理で発生する出力映像およびオーディオデータの一例を模式的に示す図である。
【図９】非同期再生処理で発生する出力映像およびオーディオデータの一例を模式的に示す図である。
【図１０】第２の実施例に係る非同期再生処理の手順を概略的に示すフローチャートである。
【図１１】非同期再生処理で発生する出力映像およびオーディオデータの一例を模式的に示す図である。
【図１２】非同期再生処理で発生する出力映像およびオーディオデータの一例を模式的に示す図である。
【図１３】非同期再生処理で発生する出力映像およびオーディオデータの一例を模式的に示す図である。
【符号の説明】
【００４４】
１  光ディスク再生装置（信号処理装置）
２  ディスク駆動部
３  信号処理部
１０  光ディスク（情報記録媒体）
１６  デコード部
２７  バッファメモリ
２０  オーディオ出力部
２１  映像出力部
２２  制御部
２３  操作部
２８  再生制御部
【図１】
2005108294.tif 000003
【図２】
2005108294.tif 000004
【図３】
2005108294.tif 000005
【図４】
2005108294.tif 000006
【図５】
2005108294.tif 000007
【図６】
2005108294.tif 000008
【図７】
2005108294.tif 000009
【図８】
2005108294.tif 000010
【図９】
2005108294.tif 000011
【図１０】
2005108294.tif 000012
【図１１】
2005108294.tif 000013
【図１２】
2005108294.tif 000014
【図１３】
2005108294.tif 000015